(57)【要約】【課題】電気光学パネルの熱を、電気光学パネルに重ねて配置された透光板の側から逃がすことのできる電気光学モジュール、および該電気光学モジュールを備えた投射型表示装置を提供すること。【解決手段】電気光学モジュール１０において、電気光学パネル４０の第２基板５２側に第２透光板５７が対向配置されており、かかる第２透光板５７の第２基板５２側の面には、平面視で画像表示領域４０ａと重ならずに第２基板５２と重なる領域、および第２基板５２からの張出面５７０に遮光層５７９が形成されている。また、張出面５７０の遮光層５７９にはフレーム６０の壁部６１、６２、６３が対向配置されており、遮光層５７９と壁部６１、６２、６３との間には接着剤Ｐが介在している。このため、電気光学パネル４０で発生した熱を、第２基板５２から遮光層５７９を介してフレーム６０に逃がすことができる。【選択図】図７
2015106010.tif 000002
【特許請求の範囲】
【請求項１】
第１基板、該第１基板に対向配置された第２基板、および前記第１基板と前記第２基板との間に設けられた電気光学物質層を備えた電気光学パネルと、
前記第２基板の前記第１基板と反対側の面に対向配置され、前記第２基板側の面に前記第２基板から張り出す張出面を備えた第２基板側透光板と、
前記第２基板側透光板の前記第２基板側の面のうち、平面視で前記電気光学パネルの画像表示領域と重ならないように前記第２基板と重なる領域、および前記張出面に形成された遮光層と、
前記遮光層に対向する壁部を備え、当該壁部の内側に前記電気光学パネルが収容されたフレームと、
前記遮光層と前記第２基板との間、および前記遮光層と前記壁部との間の各々に介在する接着剤と、
を有していることを特徴とする電気光学モジュール。
【請求項２】
前記第２基板側透光板は、前記第２基板よりサイズが大きく、当該第２基板の全周にわたって前記張出面が形成され、
前記遮光層は、平面視で前記画像表示領域と重なる領域の全周にわたって形成されて見切りを構成していることを特徴とする請求項１に記載の電気光学モジュール。
【請求項３】
前記遮光層は、前記第２基板側透光板の縁まで形成されていることを特徴とする請求項１または２に記載の電気光学モジュール。
【請求項４】
前記第１基板の前記第２基板と反対側の面に対向配置された第１基板側透光板を有し、
当該第１基板側透光板および前記第１基板は、前記第２基板側透光板よりサイズが小であることを特徴とする請求項１乃至３の何れか一項に記載の電気光学モジュール。
【請求項５】
前記第１基板は、前記第２基板から張り出す張出部と、該張出部の前記第２基板側の面に形成された端子と、を備え、
前記張出部に対して前記電気光学パネルを挟んだ反対側での前記遮光層と前記壁部との重なり幅は、他の領域での前記遮光層と前記壁部との重なり幅より大であることを特徴とする請求項１乃至４の何れか一項に記載の電気光学モジュール。
【請求項６】
前記電気光学パネルと前記フレームとの間には、接着剤が介在していることを特徴とする請求項１乃至５の何れか一項に記載の電気光学モジュール。
【請求項７】
前記電気光学パネルと前記フレームとの間には、前記電気光学パネルの面内方向のうちの一方方向に延在する通気路が構成されていることを特徴とする請求項１乃至５の何れか一項に記載の電気光学モジュール。
【請求項８】
前記電気光学パネルと前記フレームとの間には、前記第１基板、前記２基板および前記第２基板側透光板より熱伝導率が高い放熱部材が配置されていることを特徴とする請求項１乃至５の何れか一項に記載の電気光学モジュール。
【請求項９】
前記放熱部材は、前記張出面の前記遮光層と対向していることを特徴とする請求項８に記載の電気光学モジュール。
【請求項１０】
前記遮光層は、金属層および金属化合物層のうちの少なくとも一方を備えていることを特徴とする請求項１乃至９の何れか一項に記載の電気光学モジュール。
【請求項１１】
前記第１基板は、画素電極および該画素電極に対応して設けられたスイッチング素子を備えた素子基板であることを特徴とする請求項１乃至１０の何れか一項に記載の電気光学モジュール。
【請求項１２】
前記電気光学パネルは、前記電気光学物質層としての液晶層を備えた液晶パネルであることを特徴とする請求項１１に記載の電気光学モジュール。
【請求項１３】
請求項１乃至１２の何れか一項に記載の電気光学モジュールを備えた電子機器であって、
前記電気光学モジュールに供給される光を出射する光源部と、
前記電気光学モジュールによって変調された光を投射する投射光学系と、
を有していることを特徴とする投射型表示装置。
【請求項１４】
前記電気光学モジュールに冷却気体を供給する冷却装置を有していることを特徴とする請求項１３に記載の投射型表示装置。
【発明の詳細な説明】
【技術分野】
【０００１】
本発明は、投射型表示装置等の電子機器に用いられる電気光学モジュール、および該電気光学モジュールを備えた投射型表示装置に関するものである。
【背景技術】
【０００２】
投射型表示装置等の電子機器において画像を表示する際には、液晶パネル等の電気光学パネルによって変調した光を利用する。かかる電気光学パネルは、例えば、第１基板と第２基板との間に液晶層等の電気光学物質層が設けられた構成を有している。また、第１基板および第２基板の外面側には防塵等の目的で第１透光板および第２透光板が貼付されている。このような構成の電気光学パネルでは、電気光学パネル自身での発熱や光源光の入射に起因する発熱によって、電気光学パネルが温度上昇すると、電気光学物質層の劣化等が発生する。
【０００３】
一方、第１透光板および第２透光板として、第１基板や第２基板よりサイズの大きな透光板を用い、かかる透光板の側面にケース体を当接させた構造が開示されている（特許文献１参照）。
【先行技術文献】
【特許文献】
【０００４】
【特許文献１】特開２０００−３４７１６８号公報
【発明の概要】
【発明が解決しようとする課題】
【０００５】
しかしながら、特許文献１に記載の電気光学モジュールでは、黒色の合成樹脂からなるケース体を用いているため、電気光学パネル自身での発熱や光源光の入射によって電気光学パネルが温度上昇した際、電気光学パネルの熱を、透光板を介してケース体に逃がすことができないという問題点がある。
【０００６】
以上の問題点に鑑みて、本発明の課題は、電気光学パネルの熱を、電気光学パネルに重ねて配置された透光板の側から逃がすことのできる電気光学モジュール、および該電気光学モジュールを備えた投射型表示装置を提供することにある。
【課題を解決するための手段】
【０００７】
上記課題を解決するために、本発明に係る電気光学モジュールは、第１基板、該第１基板に対向配置された第２基板、および前記第１基板と前記第２基板との間に設けられた電気光学物質層を備えた電気光学パネルと、前記第２基板の前記第１基板と反対側の面に対向配置され、前記第２基板側の面に前記第２基板から張り出す張出面を備えた第２基板側透光板と、前記第２基板側透光板の前記第２基板側の面のうち、平面視で前記電気光学パネルの画像表示領域と重ならないように前記第２基板と重なる領域、および前記張出面に形成された遮光層と、前記遮光層に対向する壁部を備え、当該壁部の内側に前記電気光学パネルが収容されたフレームと、前記遮光層と前記第２基板との間、および前記遮光層と前記壁部との間の各々に介在する接着剤と、を有していることを特徴とする。
【０００８】
本発明において、電気光学パネルの第２基板側に第２基板側透光板が対向配置されており、かかる第２基板側透光板の第２基板側の面には、平面視で画像表示領域と重ならずに第２基板と重なる領域、および第２基板からの張出面に遮光層が連続して形成されており、かかる張出面の遮光層にはフレームの壁部が対向配置されている。また、遮光層と第２基板との間、および遮光層と壁部との間の各々には接着剤が介在しており、空気層が介在していない。このため、電気光学パネルで発生した熱を、第２基板から遮光層を介してフレームに逃がすことができる。それ故、電気光学パネルの温度上昇を低く抑えることができるので、電気光学パネルの温度上昇に起因する電気光学物質層の劣化を抑制することができる。
【０００９】
本発明において、前記第２基板側透光板は、前記第２基板よりサイズが大きく、当該第２基板の全周にわたって前記張出面が形成され、前記遮光層は、平面視で前記画像表示領域と重なる領域の全周にわたって形成されて見切りを構成していることが好ましい。かかる構成によれば、電気光学パネルに対する遮光部を構成する遮光層を利用して、電気光学パネルで発生した熱をフレームに逃がすことができるので、構成の簡素化を図ることができる。
【００１０】
本発明において、前記遮光層は、前記第２基板側透光板の縁まで形成されていることが好ましい。かかる構成によれば、遮光層とフレームの壁部との重なり面積を広くすることができるので、電気光学パネルで発生した熱を、遮光層からフレームに効率よく逃がすことができる。
【００１１】
本発明において、前記第１基板の前記第２基板と反対側の面に対向配置された第１基板側透光板を有し、当該第１基板側透光板および前記第１基板は、前記第２基板側透光板よりサイズが小であることが好ましい。かかる構成によれば、第２基板側透光板のサイズが大きい場合でも、第１基板側透光板の側を先行させることによって、電気光学パネルおよび第２基板側透光板をフレームの内側に収容することができる。
【００１２】
本発明において、前記第１基板は、前記第２基板から張り出す張出部と、該張出部の前記第２基板側の面に形成された端子と、を備え、前記張出部に対して前記電気光学パネルを挟んだ反対側での前記遮光層と前記壁部との重なり幅は、他の領域での前記遮光層と前記壁部との重なり幅より大であることが好ましい。電気光学モジュールに冷却気体を供給する場合、張出部が位置する側とは反対側が風上とされるので、かかる風上側での遮光層とフレームの壁部との重なり幅を大にすれば、放熱効率が高まる。従って、第２基板側透光板やフレームを過度に大きくしなくても、電気光学パネル全体からみれば十分な放熱性を確保することができる。
【００１３】
本発明において、前記電気光学パネルと前記フレームとの間には、接着剤が介在している構成を採用することができる。かかる構成によれば、電気光学パネルとフレームとの間に空気層が介在しないので、電気光学パネルの熱をフレームに逃がしやすい。
【００１４】
本発明において、前記電気光学パネルと前記フレームとの間には、前記電気光学パネルの面内方向のうちの一方方向に延在する通気路が構成されていることが好ましい。かかる構成によれば、通気路内を流れる冷却気体によって、電気光学パネルを直接冷却することができるので、電気光学パネルの温度上昇を低く抑えることができる。
【００１５】
本発明において、前記電気光学パネルと前記フレームとの間には、前記第１基板、前記２基板および前記第２基板側透光板より熱伝導率が高い放熱部材が配置されていることが好ましい。かかる構成によれば、電気光学パネルの熱を、放熱部材を介してフレームに逃がすことができる。
【００１６】
この場合、前記放熱部材は、前記張出面の前記遮光層と対向していることが好ましい。かかる構成によれば、電気光学パネルの熱を遮光層および放熱部材を介してフレームに逃がすこともできる。
【００１７】
本発明において、前記第１基板は、画素電極および該画素電極に対応して設けられたスイッチング素子を備えた素子基板であることが好ましい。かかる構成を採用すれば、第１基板で発生した熱をフレームに効率よく逃がすことができる。
【００１８】
本発明において、前記電気光学パネルは、例えば、前記電気光学物質層としての液晶層を備えた液晶パネルである。
【００１９】
本発明は、電気光学モジュールが投射型表示装置に用いられる場合に適用すると効果的であり、かかる投射型表示装置は、前記電気光学モジュールに供給される光を出射する光源部と、前記電気光学モジュールによって変調された光を投射する投射光学系と、を有している。投射型表示装置の場合には、電気光学パネルに強い光源光が入射するが、本発明によれば、電気光学パネルの温度上昇を低く抑えることができる。
【００２０】
本発明に係る投射型表示装置は、前記電気光学モジュールに冷却気体を供給する冷却装置を有していることが好ましい。かかる構成によれば、電気光学モジュールの温度上昇を効率よく抑えることができる。
【図面の簡単な説明】
【００２１】
【図１】本発明を適用した電子機器の一例としての投射型表示装置の説明図である。
【図２】本発明を適用した投射型表示装置に用いた光学ユニットの構成を示す説明図である。
【図３】本発明を適用した投射型表示装置に用いた光学ユニットの詳細構成を示す説明図である。
【図４】本発明を適用した電気光学モジュールに用いた電気光学パネルの説明図である。
【図５】本発明の実施の形態１に係る電気光学モジュールを光出射側からみたときの斜視図である。
【図６】本発明の実施の形態１に係る電気光学モジュールの説明図である。
【図７】本発明の実施の形態１に係る電気光学モジュールの断面図である。
【図８】本発明の実施の形態１に係る電気光学モジュールを分解した様子を光出射側からみたときの分解斜視図である。
【図９】本発明の実施の形態１の変形例１に係る電気光学モジュールの断面図である。
【図１０】本発明の実施の形態１の変形例２に係る電気光学モジュールの断面図である。
【図１１】本発明の実施の形態２に係る電気光学モジュールの断面図である。
【図１２】本発明の実施の形態３に係る電気光学モジュールの断面図である。
【図１３】本発明の実施の形態４に係る電気光学モジュールの断面図である。
【図１４】本発明の実施の形態５に係る電気光学モジュールの断面図である。
【発明を実施するための形態】
【００２２】
図面を参照して、本発明の実施の形態を説明する。なお、以下の説明では、本発明を適用した電子機器として、透過型の電気光学パネル（透過型の液晶パネル）を備えた電気光学モジュールをライトバルブとして用いた投射型表示装置を説明する。また、以下の説明で参照する図においては、各層や各部材を図面上で認識可能な程度の大きさとするため、各層や各部材毎に縮尺を異ならしめてある。
【００２３】
［実施の形態１］
（投射型表示装置（電子機器）の全体）
図１は、本発明を適用した電子機器の一例としての投射型表示装置の説明図であり、図１（ａ）、（ｂ）は、投射型表示装置の主要部分の平面的な構成を示す説明図、および主要部分を側方からみたときの説明図である。図２は、本発明を適用した投射型表示装置に用いた光学ユニットの構成を示す説明図である。
【００２４】
図１に示す投射型表示装置１において、外装ケース２、５の内部には、その後端側に電源ユニット７が配置され、電源ユニット７に装置前側で隣り合う位置に光源ランプユニット８（光源部）および光学ユニット９が配置されている。また、外装ケース２の内部には、光学ユニット９の前側の中央に投射レンズユニット６の基端側が位置している。光学ユニット９の一方の側には、入出力インターフェース回路が搭載されたインターフェース基板１１が装置前後方向に向けて配置され、インターフェース基板１１に平行に、ビデオ信号処理回路が搭載されたビデオ基板１２が配置されている。光源ランプユニット８および光学ユニット９の上側には装置駆動制御用の制御基板１３が配置され、装置前端側の左右の角の各々にはスピーカー１４Ｒ、１４Ｌが配置されている。
【００２５】
光学ユニット９の上方および下方には装置内部冷却用の吸気ファン１５Ａ、１５Ｂが配置されている。また、光源ランプユニット８の裏面側である装置側面には排気ファン１６が配置されている。さらに、インターフェース基板１１およびビデオ基板１２の端に面する位置には、吸気ファン１５Ａからの冷却用空気流を電源ユニット７内に吸引するための補助冷却ファン１７が配置されている。これらのファンのうち、吸気ファン１５Ｂは、後述する電気光学パネル４０に対する冷却用ファン（冷却装置）として機能している。
【００２６】
図２において、光学ユニット９を構成する各光学素子（要素）は、色光合成手段を構成しているプリズムユニット２０を含めて、ＭｇやＡｌ等の金属からなる上ライトガイド２１または下ライトガイド２２により支持されている。上ライトガイド２１および下ライトガイド２２は、アッパーケース３およびロアーケース４に固定ねじにより固定されている。
【００２７】
（光学ユニット９の詳細構成）
図３は、本発明を適用した投射型表示装置に用いた光学ユニットの詳細構成を示す説明図である。図３に示すように、光学ユニット９は、光源ランプ８０５と、均一照明光学素子であるインテグレーターレンズ９２１、９２２を有する照明光学系９２３と、この照明光学系９２３から出射される光束Ｗを、赤、緑、青の各光束Ｒ、Ｇ、Ｂに分離する色光分離光学系９２４とを有している。また、光学ユニット９は、各色光束を変調する電気光学パネル（ライトバルブ）としての３枚の透過型の電気光学パネル４０（Ｒ）、４０（Ｇ）、４０（Ｂ）と、変調された色光束を合成する色光合成光学系としてのプリズムユニット２０と、合成された光束を投射面上に拡大投射する投射レンズユニット６とを有している。また、色光分離光学系９２４によって分離された各色光束のうち、青色光束Ｂに対応する電気光学パネル４０（Ｂ）に導くリレー光学系９２７を備えている。
【００２８】
照明光学系９２３は、さらに、反射ミラー９３１を備えており、光源ランプ８０５からの出射光の光軸１ａを装置前方向に向けて直角に折り曲げるようにしている。この反射ミラー９３１を挟み、インテグレーターレンズ９２１、９２２が前後に直交する状態に配置されている。
【００２９】
色光分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３を通った光束Ｗのうち、そこに含まれている青色光束Ｂおよび緑色光束Ｇが直角に反射されて、緑反射ダイクロイックミラー９４２の側に向かう。赤色光束Ｒは、この青緑反射ダイクロイックミラー９４１を通過して、後方の反射ミラー９４３で直角に反射されて、赤色光束の出射部９４４から色光合成光学系の側に出射される。次に、緑反射ダイクロイックミラー９４２において、青緑反射ダイクロイックミラー９４１において反射された青および緑の光束Ｂ、Ｇのうち、緑色光束Ｇのみが直角に反射されて、緑色光束の出射部９４５から色光合成光学系の側に出射される。緑反射ダイクロイックミラー９４２を通過した青色光束Ｂは、青色光束の出射部９４６からリレー光学系９２７の側に出射される。本形態では、照明光学系９２３の光束の出射部から色光分離光学系９２４における各色光束の出射部９４４、９４５、９４６までの距離が、全てほぼ等しくなるように設定されている。
【００３０】
色光分離光学系９２４の赤色光束および緑色光束の出射部９４４、９４５の出射側には、それぞれ集光レンズ９５１、９５２が配置されている。従って、各出射部から出射した赤色光束および緑色光束は、これらの集光レンズ９５１、９５２に入射して平行化される。
【００３１】
平行化された赤色および緑色の光束Ｒ、Ｇは、偏光板１６０（Ｒ）、１６０（Ｇ）によって偏光方向が揃えられた後、電気光学パネル４０（Ｒ）、４０（Ｇ）に入射して変調され、各色光に対応した画像情報が付加される。すなわち、これらの電気光学パネル４０（Ｒ）、４０（Ｇ）は、図示していない駆動手段によって画像情報に対応する画像信号によってスイッチング制御され、これにより、ここを通過する各色光の変調が行われる。このような駆動手段は、公知の手段をそのまま使用することができる。
【００３２】
一方、青色光束Ｂは、リレー光学系９２７を介し、さらに、偏光板１６０（Ｂ）によって偏光方向が揃えられた後、対応する電気光学パネル４０（Ｂ）に導かれて、ここにおいて、同様に画像情報に応じて変調が施される。リレー光学系９２７は、集光レンズ９７４と入射側反射ミラー９７１と、出射側反射ミラー９７２と、これらのミラー間に配置した中間レンズ９７３と、電気光学パネル４０（Ｂ）の手前側に配置した集光レンズ９５３から構成される。各色光束の光路の長さ、すなわち、光源ランプ８０５から各液晶パネルまでの距離は、青色光束Ｂが最も長くなり、従って、この光束の光量損失が最も多くなる。しかし、リレー光学系９２７を介在させることにより、光量損失を抑制できる。
【００３３】
各電気光学パネル４０（Ｒ）、４０（Ｇ）、４０（Ｂ）を通って変調された各色光束は、偏光板１６１（Ｒ）、１６１（Ｇ）、１６１（Ｂ）に入射し、これを透過した光がプリズムユニット２０（クロスダイクロイックプリズム）に入射して合成される。ここで合成されたカラー画像は、投射レンズ系を備えた投射レンズユニット６を介して、所定の位置にあるスクリーン等の被投射面１ｂ上に拡大投射される。
【００３４】
（電気光学パネル４０の構成）
図４は、本発明を適用した電気光学モジュールに用いた電気光学パネル４０の説明図であり、図４（ａ）、（ｂ）は各々、電気光学パネル４０を各構成要素と共に第２基板の側から見た平面図、およびそのＨ−Ｈ′断面図である。
【００３５】
なお、図４および後述する図５〜図８において、光源光の進行方向については矢印Ｌ１１で示し、電気光学パネル４０によって光源光を変調した後の表示光の進行方向については矢印Ｌ１２で示し、図１に示す吸気ファン１５Ｂ等によって電気光学パネル４０に供給される冷却空気（冷却気体）の流れについては矢印Ａで示してある。また、以下の説明では、電気光学パネル４０および電気光学モジュール１０の面内方向で互いに交差する方向の一方をＸ軸方向とし、他方をＹ軸方向とし、Ｘ軸方向およびＹ軸方向に交差する方向をＺ軸方向とする。また、以下に参照する図面では、Ｘ軸方向の一方側（フレキシブル配線基板４０ｉが設けられている側）をＸ１側とし、他方側をＸ２側とし、Ｙ軸方向の一方側をＹ１側とし、他方側をＹ２側とし、Ｚ軸方向の一方側（光源光が入射する側）をＺ１側とし、他方側（表示光が出射される側）をＺ２側として表してある。
【００３６】
図１〜図３を参照して説明した投射型表示装置１において、光学ユニット９に電気光学パネル４０（Ｒ）、４０（Ｇ）、４０（Ｂ）を搭載するにあたっては、電気光学パネル４０（Ｒ）、４０（Ｇ）、４０（Ｂ）を各々、後述する電気光学モジュール１０（Ｒ）、１０（Ｇ）、１０（Ｂ）として搭載する。電気光学パネル４０（Ｒ）、４０（Ｇ）、４０（Ｂ）は同一の構成を有しており、電気光学パネル４０（Ｒ）、４０（Ｇ）、４０（Ｂ）を備えた電気光学モジュール１０（Ｒ）、１０（Ｇ）、１０（Ｂ）も赤色用（Ｒ）、緑色用（Ｇ）、青色用（Ｂ）で同一の構成を有している。従って、以下の説明では、電気光学パネル４０（Ｒ）、４０（Ｇ）、４０（Ｂ）および電気光学モジュール１０（Ｒ）、１０（Ｇ）、１０（Ｂ）等については、対応する色を示す（Ｒ）（Ｇ）（Ｂ）を付さずに説明する。
【００３７】
図４に示すように、電気光学パネル４０では、透光性の第１基板５１（素子基板）と透光性の第２基板５２（対向基板）とが所定の隙間を介してシール材４０７によって貼り合わされている。第１基板５１および第２基板５２は石英や耐熱ガラス等が用いられており、本形態において、第１基板５１および第２基板５２には石英が用いられている。本形態において、電気光学パネル４０は液晶パネルであり、第１基板５１と第２基板５２との間においてシール材４０７によって囲まれた領域内に電気光学物質層４５０としての液晶層が保持されている。シール材４０７は、第２基板５２の外縁に沿うように枠状に設けられている。シール材４０７は、光硬化性を備えた接着剤、熱硬化性の接着剤、あるいは光硬化性および熱硬化性の双方を備えた接着剤であり、両基板間の距離を所定値とするためのグラスファイバー、あるいはガラスビーズ等のギャップ材が配合されている。
【００３８】
本形態において、第１基板５１は平面視で四角形であり、４つの辺からなる側面５１１、５１２、５１３、５１４を備えている。第２基板５２も、第１基板５１と同様、平面視で四角形であり、４つの辺からなる側面５２１、５２２、５２３、５２４を備えている。電気光学パネル４０の略中央には、変調光を出射する画像表示領域４０ａが平面視で四角形の領域として設けられている。かかる形状に対応して、シール材４０７も略四角形に設けられ、シール材４０７の内周縁と画像表示領域４０ａの外周縁との間には、四角枠状の周辺領域４０ｃが設けられている。
【００３９】
本形態において、第１基板５１は第２基板５２よりサイズが大きく、第１基板５１の４つの側面５１１、５１２、５１３、５１４は各々、第２基板５２の側面５２１、５２２、５２３、５２４より外側に張り出している。このため、第２基板５２の周りには、第１基板５１と第２基板５２の側面５２１、５２２、５２３、５２４とによって段部４０ｓ、４０ｔ、４０ｕ、４０ｖが形成され、かかる段部４０ｓ、４０ｔ、４０ｕ、４０ｖでは、第１基板５１が第２基板５２から張り出した状態にある。
【００４０】
第１基板５１の第１面５１ａおよび第２面５１ｂのうち、第２基板５２と対向する第１面５１ａには、画像表示領域４０ａに、透光性の画素電極４０５ａおよび画素電極４０５ａに対応する画素トランジスター（スイッチング素子／図示せず）を備えた画素がマトリクス状に形成されており、かかる画素電極４０５ａの上層側には配向膜４１６が形成されている。また、第１基板５１の第１面５１ａにおいて、周辺領域４０ｃには、画素電極４０５ａと同時形成されたダミー画素電極４０５ｂが形成されている。ダミー画素電極４０５ｂについては、ダミーの画素トランジスターと電気的に接続された構成、ダミーの画素トランジスターが設けられずに配線に直接、電気的に接続された構成、あるいは電位が印加されていないフロート状態にある構成が採用される。
【００４１】
また、第１基板５１において、Ｙ軸方向の一方側Ｙ１に位置する側面５１４は、他の側面５１１、５１２、５１３より第２基板５２の側面５２４から大きく張り出しており、かかる張出部５１５の第２基板５２側の面（第１面５１ａ）には、側面５１４に沿ってデータ線駆動回路４０１および複数の端子４０２が形成されている。また、第１基板５１には、側面５１１、５１２に沿って走査線駆動回路４０４が形成されている。端子４０２には、フレキシブル配線基板４０ｉが接続されており、第１基板５１には、フレキシブル配線基板４０ｉを介して各種電位や各種信号が入力される。なお、第１基板５１では、側面５１４とフレキシブル配線基板４０ｉとに跨るように補強用の接着剤４１が塗布されている。
【００４２】
第２基板５２の第１面５２ａおよび第２面５２ｂのうち、第１基板５１と対向する第１面５２ａには透光性の共通電極４２１が形成されており、共通電極４２１の上層には配向膜４２６が形成されている。共通電極４２１は、第２基板５２の略全面あるいは複数の帯状電極として複数の画素に跨って形成されており、本形態において、共通電極４２１は、第２基板５２の略全面に形成されている。また、第２基板５２の第１面５２ａには、共通電極４２１の下層側に遮光層４０８が形成されている。本形態において、遮光層４０８は、画像表示領域４０ａの外周縁に沿って延在する額縁状に形成されており、かかる遮光層４０８の内縁によって画像表示領域４０ａが規定されている。遮光層４０８の外周縁は、シール材４０７の内周縁との間に隙間を隔てた位置にあり、遮光層４０８とシール材４０７とは被さっていない。また、第２基板５２において、隣り合う画素電極４０５ａにより挟まれた領域と重なる領域等には、遮光層４０８と同時形成された遮光層がブラックマトリクスあるいはブラックストライプとして形成されることもある。
【００４３】
第１基板５１には、シール材４０７より外側において第２基板５２の角部分と重なる領域に、第１基板５１と第２基板５２との間で電気的導通をとるための基板間導通用電極４０９が形成されている。基板間導通用電極４０９と第２基板５２との間には、導電粒子を含んだ基板間導通材４０９ａが配置されており、第２基板５２の共通電極４２１は、基板間導通材４０９ａおよび基板間導通用電極４０９を介して、第１基板５１側に電気的に接続されている。このため、共通電極４２１は、第１基板５１の側から共通電位が印加されている。シール材４０７は、略同一の幅寸法をもって第２基板５２の外周縁に沿って設けられている。但し、シール材４０７は、第２基板５２の角部分と重なる領域では基板間導通用電極４０９を避けて内側を通るように設けられている。
【００４４】
かかる構成の電気光学パネル４０において、本形態では、画素電極４０５ａおよび共通電極４２１がＩＴＯ膜等の透光性導電膜により形成されているため、電気光学パネル４０は透過型の液晶パネルである。かかる透過型の液晶パネル（電気光学パネル４０）の場合、第１基板５１および第２基板５２のうち、一方側の基板から入射した光が他方側の基板を透過して出射される間に変調される。本形態では、第２基板５２から入射した光（矢印Ｌ１１で示す）が第１基板５１を透過して変調光（矢印Ｌ１２で示す）として出射される構成になっている。このため、第２基板５２はＺ軸方向の一方側Ｚ１に配置され、第１基板５１はＺ軸方向の他方側Ｚ２に配置されている。なお、共通電極４２１を透光性導電膜により形成し、画素電極４０５ａを反射性導電膜により形成すると、反射型の液晶パネルを構成することができる。反射型の液晶パネルの場合、第２基板５２の側から入射した光が第１基板５１の側で反射して出射される間に変調される。本形態の電気光学パネル４０は、前記した投射型表示装置（液晶プロジェクター）において、ライトバルブとして用いられるため、カラーフィルターは形成されない。但し、電気光学パネル４０を、モバイルコンピューター、携帯電話機等といった電子機器の直視型のカラー表示装置として用いる場合、第２基板５２には、カラーフィルターが形成される。
【００４５】
（電気光学モジュール１０の全体構成）
図５は、本発明の実施の形態１に係る電気光学モジュールを光出射側からみたときの斜視図である。図６は、本発明の実施の形態１に係る電気光学モジュールの説明図であり、図６（ａ）、（ｂ）、（ｃ）は、電気光学モジュールを光出射側からみたときの平面図、Ｘ軸方向の他方側Ｘ２からみた側面図、および光入射側からみたときの底面図である。図７は、本発明の実施の形態１に係る電気光学モジュールの断面図であり、図７（ａ）、（ｂ）は、電気光学モジュールのＹＺ断面図、およびＸＺ断面図である。図８は、本発明の実施の形態１に係る電気光学モジュールを分解した様子を光出射側からみたときの分解斜視図である。
【００４６】
図５〜図８に示すように、電気光学パネル４０を投射型表示装置１の光学ユニット９に搭載するには、補強等を目的に、電気光学パネル４０をフレーム６０により保持した電気光学モジュール１０とする。本形態の電気光学モジュール１０では、電気光学パネル４０およびフレーム６０に加えて、以下に説明する第１透光板５６、第２透光板５７、および入射側の遮光板８０が用いられている。以下、図７を中心に参照して、電気光学モジュール１０の詳細構成を説明する。
【００４７】
（第１透光板５６および第２透光板５７の構成）
図４（ｂ）および図７等に示すように、本形態では、電気光学パネル４０を用いて電気光学モジュール１０を構成するにあたって、第１基板５１の第２面５１ｂ（外面／第１基板５１の第２基板５２と反対側の面）には第１透光板５６（第１基板側透光板）が接着剤等により貼付され、第２基板５２の第２面５２ｂ（外面／第２基板５２の第１基板５１と反対側の面）には第２透光板５７（第２基板側透光板）が接着剤により面接着されている。第１透光板５６および第２透光板５７は各々、防塵ガラスとして構成されており、塵等が第１基板５１の外面（第２面５１ｂ）および第２基板５２の外面（第２面５２ｂ）に付着するのを防止する。このため、電気光学パネル４０に塵が付着したとしても、塵は電気光学物質層４５０から離間している。従って、図１等を参照して説明した投射型表示装置１においては、塵がデフォーカス状態にあるため、投射された画像に塵が像として写し出されることを抑制することができる。
【００４８】
第１透光板５６および第２透光板５７には石英や耐熱ガラス等が用いられている。本形態において、第１透光板５６および第２透光板５７には、第１基板５１および第２基板５２と同様、石英が用いられており、その厚さは１．１〜１．２ｍｍである。なお、第２透光板５７には水晶やサファイヤ等、熱伝導率が比較的高い透光板を用いてもよい。
【００４９】
第１透光板５６は、平面視で第１基板５１よりサイズが大きな四角形状であり、第１透光板５６の側面５６１、５６２、５６３、５６４は各々、平面視で、第１基板５１の側面５１１、５１２、５１３、５１４や第２基板５２の側面５２１、５２２、５２３、５２４より外側に位置する。このため、第１透光板５６の第１基板５１側の面には、第１基板５１の周りに全周にわたって張出面が形成されている。
【００５０】
第２透光板５７も、第１透光板５６と同様、平面視で第１基板５１や第２基板５２よりサイズが大きな四角形状であり、第２透光板５７の側面５７１、５７２、５７３、５７４は各々、平面視で、第１基板５１の側面５１１、５１２、５１３、５１４や第２基板５２の側面５２１、５２２、５２３、５２４より外側に位置する。このため、第２透光板５７の第２基板５２側の面には、第２基板５２の周りに全周にわたって張出面５７０が形成されている。
【００５１】
本形態では、第２透光板５７の第２基板５２側の面には、平面視で画像表示領域４０ａと重ならずに第２基板５２と重なる領域、および張出面５７０に遮光層５７９が連続して一体に形成されている。このため、遮光層５７９は、図８に示すように、第２基板５２の外縁から内側かつ電気光学パネル４０の画像表示領域４０ａの外側に形成された第１部分５７９ａと、第２基板５２の外縁から張出面５７０に延設された第２部分５７９ｂとを含んでいる。かかる遮光層５７９は、後述する遮光板８０とともに、入射側の遮光を行っている。本形態において、遮光層５７９は、第２透光板５７の第２基板５２側の面の縁まで形成されている。遮光層５７９は、例えば、第２透光板５７の側からクロム層（金属層／光反射層）および酸化クロム層（金属化合物層／光吸収層）が積層されてなり、反射性を有している。このため、遮光層５７９は、第２透光板５７より熱伝導率が高い。
【００５２】
ここで、第２透光板５７の第２基板５２からの張出面５７０の幅寸法は、側面５７４の側での幅寸法が他の側面５７１、５７２、５７３の側での幅寸法より大である。このため、張出面５７０で形成されている遮光層５７９の幅寸法は、側面５７４の側での幅寸法が他の側面５７１、５７２、５７３の側での幅寸法より大である。特に、遮光層５７９の幅寸法は、側面５７４の側のフレーム６０と面する幅寸法が、他の側面５７１、５７２、５７３の側のフレーム６０と面する幅寸法より大である。
【００５３】
（フレーム６０の構成）
本形態において、フレーム６０は、中央に矩形の開口部６８を備えた矩形枠状の樹脂製部材あるいは金属製部材であり、平面視で、第１透光板５６、電気光学パネル４０および第２透光板５７の周りを囲む４つの壁部６１、６２、６３、６４を含む枠部を備えている。壁部６１、６２、６３、６４において、隣り合う壁部同士の連結部（角部分）は、角柱状の連結部６５１、６５２、６５３、６５４になっている。フレーム６０は、第１基板５１、第２基板５２、第１透光板５６および第２透光板５７より熱伝導率が高い。例えば、フレーム６０は、樹脂製部材の表面に金属層を設けた成形品や、アルミニウム、銅、鉄等の金属製部材である。本形態において、フレーム６０は、アルミニウム等からなる金属製部材である。
【００５４】
フレーム６０において、壁部６１は、第１透光板５６の側面５６１および電気光学パネル４０の側面に対向し、壁部６２は、第１透光板５６の側面５６２および電気光学パネル４０の側面に対向し、壁部６３は、第１透光板５６の側面５６３および電気光学パネル４０の側面に対向している。これに対して、壁部６４は、第１基板５１の張出部５１５に対してＺ軸方向の他方側Ｚ２で、張出部５１５に沿って延在する平板状に形成されている。従って、フレキシブル配線基板４０ｉを電気光学パネル４０の面内方向に沿ってＹ軸方向の一方側に向けて延在するようにフレーム６０の外側に引き出すことができる。また、壁部６４は、第１透光板５６の側面５６４には対向しているが、電気光学パネル４０の側面には対向していない。従って、本形態において、フレーム６０は、壁部６１、６２、６３によって第１透光板５６、電気光学パネル４０および第２透光板５７を内側に収容している。
【００５５】
フレーム６０では、壁部６１、６２、６３、６４のＺ軸方向の他方側Ｚ２の端部から内側に板状遮光部６７が張り出しており、かかる板状遮光部６７は、第１透光板５６において電気光学パネル４０が位置する側とは反対側の面に重なっている。また、板状遮光部６７には、電気光学パネル４０の画像表示領域４０ａと重なる領域に開口部６７０が形成されており、板状遮光部６７は、電気光学パネル４０に対する出射側の見切り部として機能する。ここで、板状遮光部６７の厚さ寸法は、壁部６１、６２、６３、６４の厚さ寸法（Ｚ軸方向の寸法）に比してかなり小である。なお、フレーム６０において、Ｚ軸方向の他方側Ｚ２に向く面には塗装等により黒色化処理が施されている。
【００５６】
第２透光板５７は、第１透光板５６、第１基板５１および第２基板５２よりサイズが大きく、第２透光板５７の側面５７１、５７２、５７３、５７４は、第１透光板５６、第１基板５１および第２基板５２より外側に位置する。このため、壁部６１、６２、６３の内側面は、第１透光板５６の側面５６１、５６２、５６３と対向する位置からＺ軸方向の一方側Ｚ１に直線的に延在した後、外側に向けて屈曲し、その後、第２透光板５７の側面５７１、５７２、５７３と対向している。このため、電気光学モジュール１０を組み立てる際、電気光学パネル４０に第１透光板５６および第２透光板５７を貼付した後、フレーム６０のＺ軸方向の一方側Ｚ１から、第１透光板５６側を先行させるようにして電気光学パネル４０をフレーム６０の内側に設けることができる。
【００５７】
壁部６１、６２、６３の内側面には、第２透光板５７の第２基板５２からの張出面５７０、および第２透光板５７の側面５７１、５７２、５７３に沿って屈曲する入隅状の角部６１８、６２８、６３８が形成されている。このため、フレーム６０は、角部６１８、６２８、６３８によって第２透光板５７の位置決めを行うことができる。また、フレーム６０は、角部６１８、６２８、６３８によって、第２透光板５７の第２基板５２からの張出面５７０、および第２透光板５７の側面５７１、５７２、５７３に対向し、その結果、フレーム６０の壁部６１、６２、６３は、第２透光板５７の第２基板５２側の面に形成されている遮光層５７９と対向している。
【００５８】
フレーム６０と第１透光板５６、電気光学パネル４０（第１基板５１、第２基板５２）、および第２透光板５７との間には接着剤Ｐが介在している。このため、フレーム６０の壁部６１、６２、６３と遮光層５７９との間にも接着剤Ｐが介在し、空気層が介在していない。
【００５９】
なお、壁部６３のＺ軸方向の一方側Ｚ１において、Ｙ軸方向の他方側Ｙ２の端部はテーパー面６３７になっており、矢印Ａで示すように、図１に示す吸気ファン１５Ｂ等によって電気光学モジュール１０に冷却空気を供給した際、電気光学モジュール１０のＺ軸方向の一方側Ｚ１に冷却空気が効率よく導かれる。また、電気光学モジュール１０に冷却空気を供給した際、冷却空気は、電気光学モジュール１０のＺ軸方向の他方側Ｚ２にも導かれる。
【００６０】
（入射側の遮光板８０の構成）
フレーム６０に対して光入射側（Ｚ軸方向の一方側Ｚ１）には、金属板あるいは樹脂板からなる板状の遮光板８０が重ねて配置されている。本形態において、遮光板８０は金属製である。遮光板８０は、フレーム６０に対して光入射側で重なる四角形の端板部８７を備えており、端板部８７には、電気光学パネル４０の画像表示領域４０ａに重なる開口部８８が形成されている。開口部８８は、フレーム６０の開口部６８に比して小さく、端板部８７は、開口部６８の全周において開口部６８の内側に張り出している。このため、遮光板８０の端板部８７は、電気光学パネル４０に光が入射する範囲を制限する見切り部として機能する。
【００６１】
遮光板８０は、端板部８７の外縁から延在する側板部８１、８２、８３、８４を備えている。これらの側板部８１、８２、８３、８４のうち、Ｘ軸方向の両側に位置する側板部８１、８２は、壁部６１、６２の外側面に重なるように端板部８７の端部からＺ軸方向の他方側Ｚ２に向けて略直角に屈曲している。本形態において、側板部８１、８２は、Ｙ軸方向で離間する２個所に設けられており、かかる２枚の側板部８１、８２の各々に係合穴８１０、８２０が形成されている。一方、フレーム６０の壁部６１、６２の外側面には、係合穴８１０、８２０の各々に嵌る突部６１７、６２７が形成されている。従って、遮光板８０は、フレーム６０を両側から挟むように設けられた側板部８１、８２がフレーム６０の外側面に係合することによってフレーム６０に結合され、フレーム６０と一体化している。この状態で、フレーム６０の内側には、遮光板８０の端板部８７を底部とするパネル収容部が構成され、かかるパネル収容部に、第１透光板５６および第２透光板５７が貼付された電気光学パネル４０が収容される。ここで、壁部６１、６２の外側面には、突部６１７、６２７の側方に突部６１９、６２９が形成されており、かかる突部６１９、６２９は、側板部８１、８２の位置決め用である。
【００６２】
このように構成した電気光学モジュール１０において、壁部６１、６２、６３のＺ軸方向の一方側Ｚ２の端部６０ｔは、遮光板８０のＺ軸方向の一方側Ｚ２の端面と同一平面内に位置し、壁部６１、６２、６３のＺ軸方向の一方側Ｚ２の端部６０ｔと遮光板８０との間に段差がない。このため、矢印Ａで示すように、電気光学モジュール１０に冷却空気を供給した際、電気光学モジュール１０のＺ軸方向の一方側Ｚ１で冷却空気がスムーズに流れる。
【００６３】
（電気光学モジュール１０の製造方法）
図５〜図８を参照して説明した電気光学モジュール１０の製造工程では、まず、電気光学パネル４０の両面に第１透光板５６の全面、および第２透光板５７の全面を接着剤により貼付する。次に、フレーム６０のＺ軸方向の一方側Ｚ１から、第１透光板５６側を先行させるようにして電気光学パネル４０をフレーム６０の内側に設ける。その結果、第１透光板５６は板状遮光部６７に当接し、第１透光板５６および電気光学パネル４０のＺ軸方向の位置決めが行われる。また、第１透光板５６の側面５６１、５６２、５６３、５６４は、フレーム６０の壁部６１、６２、６３、６４の内側面に当接し、第１透光板５６および電気光学パネル４０のＸ軸方向およびＹ軸方向の位置決めが行われる。その際、予め、フレーム６０の内側等に接着剤Ｐを塗布しておく。次に、遮光板８０をフレーム６０と結合させ、この状態で、接着剤Ｐを硬化させる。
【００６４】
また、電気光学パネル４０の第２基板５２に第２透光板５７を貼付する際、フレーム６０を第２透光板５７の位置決めに用いてもよい。より具体的には、電気光学パネル４０の第１基板５１に第１透光板５６を貼付した後、第１透光板５６を貼付した電気光学パネル４０をフレーム６０の内側に収容する。その際、フレーム６０の内側に接着剤Ｐを塗布しておく。次に、フレーム６０の開口部６８から第２透光板５７を挿入し、第２透光板５７をフレーム６０によってＸ軸方向およびＹ軸方向で位置決めした状態で、第２透光板５７と電気光学パネル４０の第２基板５２とを接着剤を介して重ねる。しかる後に、遮光板８０をフレーム６０と結合させ、この状態で、接着剤Ｐを硬化させる。
【００６５】
（本形態の主な効果）
以上説明したように、本形態の電気光学モジュール１０においては、電気光学パネル４０の第２基板５２側に第２透光板５７が対向配置されており、かかる第２透光板５７の第２基板５２側の面には、平面視で画像表示領域４０ａと重ならずに第２基板５２と重なる領域、および第２基板５２からの張出面５７０に遮光層５７９が連続して形成されており、かかる張出面５７０の遮光層５７９にはフレーム６０の壁部６１、６２、６３が対向配置されている。ここで、遮光層５７９は、第２透光板５７より熱伝導率が高い。また、遮光層５７９と第２基板５２との間には、第２基板５２に第２透光板５７を貼付した際の接着剤が介在し、遮光層５７９と壁部６１、６２、６３との間には接着剤Ｐが介在している。このため、遮光層５７９と第２基板５２との間、および遮光層５７９と壁部６１、６２、６３との間には空気層が介在していない。このため、電気光学パネル４０で発生した熱を、第２基板５２から遮光層５７９を介してフレーム６０に逃がすことができる。それ故、電気光学パネル４０の温度上昇を低く抑えることができるので、電気光学パネル４０の温度上昇に起因する電気光学物質層４５０の劣化を抑制することができる。
【００６６】
また、第２透光板５７は、第２基板５２よりサイズが大きく、第２基板５２の周りの全周にわたって張出面５７０が形成されており、かかる張出面５７０では、平面視で画像表示領域４０ａと重なる領域の周りを全周で囲むように遮光層５７９が形成されている。このため、電気光学パネル４０に対する見切りを構成する遮光層５７９を利用して、電気光学パネル４０で発生した熱をフレーム６０に逃がすことができるので、構成の簡素化を図ることができる。また、遮光層５７９は、第２透光板５７の外縁まで形成されているため、遮光層５７９とフレーム６０の壁部６１、６２、６３との重なり面積を広くすることができる。それ故、電気光学パネル４０で発生した熱を、遮光層５７９からフレーム６０に効率よく逃がすことができる。
【００６７】
また、本形態では、電気光学パネル４０とフレーム６０との間には、接着剤Ｐが介在しており、空気層が介在しない。それ故、電気光学パネル４０の熱を、接着剤Ｐを介してフレーム６０に逃がしやすい。
【００６８】
また、フレーム６０は、角部６１８、６２８、６３８によって、第２透光板５７の第２基板５２からの張出面５７０の遮光層５７９、および第２透光板５７の側面５７１、５７２、５７３に対向しているので、第２透光板５７とフレーム６０との重なり面積が広い。また、フレーム６０と第２透光板５７の側面５７１、５７２、５７３との間には接着剤Ｐが介在し、空気層が存在していない。このため、電気光学パネル４０で発生した熱を、第２透光板５７の側面５７１、５７２、５７３からもフレーム６０に逃がすことができる。それ故、電気光学パネル４０の温度上昇を低く抑えることができる。
【００６９】
なお、フレーム６０のＺ軸方向の一方側Ｚ１の端部６０ｔに第２透光板５７が重なった構造を採用すれば、第２透光板５７と冷却空気とが接する面積が拡大されるが、本形態において、第２透光板５７の側面５７１、５７２、５７３にフレーム６０が対向している。従って、フレーム６０によって第２透光板５７のＸ軸方向およびＹ軸方向の位置決めを行うことができるという利点がある。
【００７０】
また、本形態では、フレーム６０に板状遮光部６７を設けたので、第１透光板５６側に遮光板を配置する必要がない。また、板状遮光部６７の厚さ寸法は、壁部６１、６２、６３、６４の厚さ寸法（Ｚ軸方向の寸法）に比してかなり小である。このため、矢印Ａで示すように、図１に示す吸気ファン１５Ｂ等によって電気光学モジュール１０のＺ軸方向の他方側Ｚ２の面に沿って冷却空気の流れを形成した際、冷却空気は、板状遮光部６７の開口部６７０内にスムーズに入り込んでＹ軸方向の他方側Ｙ２から一方側Ｙ１に流れる。このため、電気光学パネル４０で発生した熱を、第１透光板５６を介して冷却空気に逃がすことができる。
【００７１】
［実施の形態１の変形例１］
図９は、本発明の実施の形態１の変形例１に係る電気光学モジュール１０の断面図であり、図９（ａ）、（ｂ）は、電気光学モジュールのＹＺ断面図、およびＸＺ断面図である。なお、本形態の基本的な構成は、実施の形態１と同様であるため、共通する部分には同一の符号を付して図示し、それらの説明を省略する。
【００７２】
図９に示すように、本形態の電気光学モジュール１０でも、実施の形態１と同様、第２透光板５７は第２基板５２よりサイズが大きく、第２基板５２からの張出面５７０に形成された遮光層５７９に対して、フレーム６０の壁部６１、６２、６３が接着剤Ｐを介して対向配置されている。
【００７３】
本形態では、実施の形態１と違って、遮光板８０が用いられておらず、遮光層５７９のみによって、入射側の見切りが構成されている。このため、第２透光板５７が位置するＺ軸方向の一方側Ｚ１では、フレーム６０の端部６０ｔと、第２透光板５７の第２基板５２とは反対側の面とは同一の平面内に位置し、かかる同一平面内で、遮光板８０およびフレーム６０の端部６０ｔが張り出している。
【００７４】
従って、本形態では、第２透光板５７のＺ軸方向の一方側Ｚ１には、遮光板８０に起因する段差がない。それ故、矢印Ａで示すように、図１に示す吸気ファン１５Ｂ等によって電気光学モジュール１０のＺ軸方向の他方側Ｚ２の面に沿って冷却空気の流れを形成した際、冷却空気は、第２透光板５７のＺ軸方向の一方側Ｚ１の面に沿ってＹ軸方向の他方側Ｙ２から一方側Ｙ１にスムーズに流れる。よって、電気光学パネル４０で発生した熱を、第２透光板５７およびフレーム６０を介して冷却空気に逃がすことができる。また、第２透光板５７のＺ軸方向の一方側Ｚ１には、遮光板８０に起因する段差がないので、段差に塵等の異物が溜まることがない。
【００７５】
［実施の形態１の変形例２］
図１０は、本発明の実施の形態１の変形例２に係る電気光学モジュール１０の断面図であり、図１０（ａ）、（ｂ）は、電気光学モジュールのＹＺ断面図、およびＸＺ断面図である。なお、本形態の基本的な構成は、実施の形態１と同様であるため、共通する部分には同一の符号を付して図示し、それらの説明を省略する。
【００７６】
図１０に示すように、本形態の電気光学モジュール１０でも、実施の形態１と同様、第２透光板５７は第２基板５２よりサイズが大きく、第２基板５２からの張出面５７０に形成された遮光層５７９に対して、フレーム６０の壁部６１、６２、６３が接着剤Ｐを介して対向配置されている。
【００７７】
本形態では、実施の形態１、および実施の形態１の変形例１と違って、第１透光板５６の電気光学パネル４０側の面に見切り用の遮光層５６９が形成されており、フレーム６０には、板状遮光部６７（図７参照）が形成されていない。また、第１透光板５６が位置するＺ軸方向の他方側Ｚ２では、フレーム６０の端部６０ｓと、第１透光板５６の第１基板５１とは反対側の面とは、同一の平面内で張り出しており、板状遮光部６７に起因する段差がない。遮光層５６９は、第１透光板５６の側から酸化クロム層（金属化合物層／光吸収層）およびクロム層（金属層／光反射層）が積層されてなる。その他の構成は、実施の形態１および実施の形態１の変形例１と同様であるため、本形態は、実施の形態１および実施の形態１の変形例１と略同様な効果を奏する。
【００７８】
このように本形態では、第１透光板５６のＺ軸方向の他方側Ｚ２には板状遮光部６７に起因する段差がない。従って、矢印Ａで示すように、図１に示す吸気ファン１５Ｂ等によって電気光学モジュール１０のＺ軸方向の他方側Ｚ２の面に沿って冷却空気の流れを形成した際、冷却空気は、第１透光板５６のＺ軸方向の他方側Ｚ２の面に沿ってＹ軸方向の他方側Ｙ２から一方側Ｙ１にスムーズに流れる。それ故、電気光学パネル４０で発生した熱を、第１透光板５６およびフレーム６０を介して冷却空気に逃がすことができる。また、第１透光板５６のＺ軸方向の他方側Ｚ２には、板状遮光部６７に起因する段差がないので、段差に塵等の異物が溜まることがない。
【００７９】
［実施の形態１の変形例３］
なお、実施の形態では、板状遮光部６７および遮光板８０の双方を省略したが、板状遮光部６７を省略する一方、遮光板８０を残した構成を採用してもよい。
【００８０】
［実施の形態２］
図１１は、本発明の実施の形態２に係る電気光学モジュール１０の断面図であり、図１１（ａ）、（ｂ）は、電気光学モジュールのＹＺ断面図、およびＸＺ断面図である。なお、本形態の基本的な構成は、実施の形態１と同様であるため、共通する部分には同一の符号を付して図示し、それらの説明を省略する。
【００８１】
図１１に示すように、本形態の電気光学モジュール１０でも、実施の形態１と同様、第２透光板５７は第２基板５２よりサイズが大きく、第２基板５２からの張出面５７０に形成された遮光層５７９に対して、フレーム６０の壁部６１、６２、６３が接着剤Ｐを介して対向配置されている。また、フレーム６０においてＸ軸方向の一方側Ｘ１および他方側Ｘ２に位置する壁部６１、６２の内側面は、実施の形態１と同様、第１透光板５６の側面５６１、５６２、および電気光学パネル４０の側面に対向している。
【００８２】
本形態において、フレーム６０の壁部６３は、実施の形態１と違って、Ｚ軸方向の他方側Ｚ２の端部６０ｓが第１基板５１と第２基板５２との間の高さ位置にある。このため、壁部６３の内側面は、第２基板５２の側面５２３に対向しているが、第１透光板５６の側面５６３や第１基板５１の側面５１３には対向していない。また、電気光学パネル４０とフレーム６０との間には、接着剤Ｐが設けられていない。このため、電気光学パネル４０とフレーム６０との間には、Ｘ軸方向の一方側Ｘ１にＹ軸方向に延在する中空の通気路Ｓ１が形成されているとともに、Ｘ軸方向の他方側Ｘ２にも、Ｙ軸方向に延在する中空の通気路Ｓ２が形成されている。また、通気路Ｓ１、Ｓ２は、Ｙ軸方向の一方側Ｙ１および他方側Ｙ２の双方で開口している。
【００８３】
ここで、第１透光板５６は、第１基板５１よりサイズが小さく、第１透光板５６の側面５６１、５６２、５６３、５６４と第１フレーム６０の壁部６１、６２、６３、６４との間には隙間が空いている。また、第１透光板５６の側面５６１、５６２、５６３、５６４と第１フレーム６０の壁部６１、６２、６３、６４との間には接着剤Ｐが設けられていない。
【００８４】
このように構成した電気光学モジュール１０において、第１透光板５６に対してＺ軸方向の他方側Ｚ２には、遮光板８０と同様な構成を有する遮光板７０が配置されており、かかる遮光板７０は、遮光板８０と同様、フック機構等によって結合されている。このため、フレーム６０には板状遮光部６７（図７等を参照）が形成されておらず、第１透光板５６に遮光層５６９（図１０参照）が形成されていない。
【００８５】
また、第１透光板５６の側面５６１、５６２とフレーム６０の壁部６１、６２との間の隙間は、遮光板７０によって塞がれている。また、フレーム６０の壁部６３のＺ軸方向の他方側Ｚ２の端部６０ｓは、平坦面になっているとともに、遮光板７０との間に広い隙間を介して対向している。その他の構成は、実施の形態１と同様であるため、本形態は、実施の形態１と略同様な効果を奏する。
【００８６】
このように本形態では、電気光学パネル４０とフレーム６０との間には、Ｙ軸方向に延在する通気路Ｓ１、Ｓ２が構成されている。このため、矢印Ａで示すように、図１に示す吸気ファン１５Ｂ等によって電気光学モジュール１０にＹ軸方向の他方側Ｙ２から冷却空気を供給した際、冷却空気は、通気路Ｓ１、Ｓ２を通過する際、電気光学パネル４０を直接冷却する。従って、電気光学パネル４０の温度上昇を低く抑えることができる。
【００８７】
また、第１透光板５６の側面５６１、５６２とフレーム６０の壁部６１、６２との間には隙間があるが、かかる隙間は、遮光板７０によって塞がれているため、冷却空気が通気路Ｓ１、Ｓ２から漏れない。それ故、通気路Ｓ１、Ｓ２を通過する冷却空気によって、電気光学パネル４０を効率よく冷却することができる。
【００８８】
さらに、電気光学モジュール１０にＹ軸方向の他方側Ｙ２から冷却空気を供給した際、フレーム６０の壁部６３のＺ軸方向の他方側Ｚ２の端部６０ｓと遮光板７０とは、冷却空気を通気路Ｓ１、Ｓ２にスムーズに導くガイド部として機能する。それ故、冷却空気は、通気路Ｓ１、Ｓ２に効率よく導かれる。
【００８９】
［実施の形態２の変形例］
上記の実施の形態２で説明した電気光学モジュール１０において、実施の形態１の変形例１で説明したように、遮光板８０を用いない構成を採用することにより、冷却空気が第２透光板５７のＺ軸方向の一方側Ｚ１の面に沿ってＹ軸方向の他方側Ｙ２から一方側Ｙ１にスムーズに流れるようにしてもよい。
【００９０】
［実施の形態３］
図１２は、本発明の実施の形態３に係る電気光学モジュール１０の断面図であり、図１２（ａ）、（ｂ）は、電気光学モジュールのＹＺ断面図、およびＸＺ断面図である。なお、本形態の基本的な構成は、実施の形態１と同様であるため、共通する部分には同一の符号を付して図示し、それらの説明を省略する。
【００９１】
図１２に示すように、本形態の電気光学モジュール１０でも、実施の形態１と同様、第２透光板５７は第２基板５２よりサイズが大きく、第２基板５２からの張出面５７０に形成された遮光層５７９に対して、フレーム６０の壁部６１、６２、６３が接着剤Ｐを介して対向配置されている。また、フレーム６０においてＸ軸方向の一方側Ｘ１および他方側Ｘ２に位置する壁部６１、６２の内側面は、実施の形態１と同様、第１透光板５６の側面５６１、５６２、および電気光学パネル４０の側面に対向している。
【００９２】
また、本形態では、実施の形態２と同様、フレーム６０の壁部６３では、Ｚ軸方向の他方側Ｚ２の端部６０ｓが第１基板５１と第２基板５２との間の高さ位置にある。このため、壁部６３の内側面は、第２基板５２の側面５２３に対向しているが、第１透光板５６の側面５６３や第１基板５１の側面５１３には対向していない。また、本形態では、第１透光板５６は、第１基板５１よりサイズが大きく、かかる第１透光板５６の電気光学パネル４０側の面には見切り用の遮光層５６９が形成されている。このため、フレーム６０には、板状遮光部６７が形成されていない。
【００９３】
また、本形態では、第１透光板５６の側面５６１、５６２、５６３、５６４とフレーム６０との間や、電気光学パネル４０とフレーム６０との間には、接着剤Ｐが設けられていない。このため、電気光学パネル４０とフレーム６０との間には、Ｘ軸方向の一方側Ｘ１にＹ軸方向に延在する中空の通気路Ｓ１が形成されているとともに、Ｘ軸方向の他方側Ｘ２にも、Ｙ軸方向に延在する中空の通気路Ｓ２が形成されている。また、通気路Ｓ１、Ｓ２は、Ｙ軸方向の一方側Ｙ１および他方側Ｙ２の双方で開口している。なお、第１透光板５６の側面５６１、５６２、５６３、５６４と第１フレーム６０の壁部６１、６２、６３、６４との間には隙間が空いており、かかる隙間には接着剤Ｐが設けられていない。但し、第１透光板５６は、第１基板５１よりサイズが大きく、第１透光板５６の側面５６１、５６２、５６３、５６４と第１フレーム６０の壁部６１、６２、６３、６４との間の隙間は狭い。その他の構成は、実施の形態１、２と同様であるため、本形態は、実施の形態１、２と略同様な効果を奏する。
【００９４】
このように本形態では、電気光学パネル４０とフレーム６０との間には、Ｙ軸方向に延在する通気路Ｓ１、Ｓ２が構成されている。このため、矢印Ａで示すように、図１に示す吸気ファン１５Ｂ等によって電気光学モジュール１０にＹ軸方向の他方側Ｙ２から冷却空気を供給した際、冷却空気は、通気路Ｓ１、Ｓ２を通過する際、電気光学パネル４０を直接冷却する。従って、電気光学パネル４０の温度上昇を低く抑えることができる。
【００９５】
なお、本形態では、第１透光板５６の側面５６１、５６２、５６３、５６４と第１フレーム６０の壁部６１、６２、６３、６４との間には隙間が空いているが、電気光学モジュール１０を製造する際、第１透光板５６の側面５６１、５６２、５６３、５６４と第１フレーム６０の壁部６１、６２、６３、６４との間を接着剤Ｐで埋めてもよい。かかる構成によれば、通気路Ｓ１、Ｓ２からの冷却空気の漏れを防止することができる。また、第１透光板５６の側面５６１、５６２、５６３、５６４と第１フレーム６０の壁部６１、６２、６３、６４との間に隙間がないので、かかる隙間に塵等の異物が溜まることがない。さらに、第１透光板５６の側面５６１、５６２、５６３、５６４と第１フレーム６０の壁部６１、６２、６３、６４との間に隙間がないので、冷却空気が第１透光板５６のＺ軸方向の他方側Ｚ２の面に沿ってＹ軸方向の他方側Ｙ２から一方側Ｙ１にスムーズに流れる。
【００９６】
［実施の形態３の変形例］
上記の実施の形態３で説明した電気光学モジュール１０において、実施の形態１の変形例１で説明したように、遮光板８０を用いない構成を採用することにより、冷却空気が第２透光板５７のＺ軸方向の一方側Ｚ１の面に沿ってＹ軸方向の他方側Ｙ２から一方側Ｙ１にスムーズに流れるようにしてもよい。
【００９７】
［実施の形態４］
図１３は、本発明の実施の形態４に係る電気光学モジュール１０の断面図であり、図１３（ａ）、（ｂ）は、電気光学モジュールのＹＺ断面図、およびＸＺ断面図である。なお、本形態の基本的な構成は、実施の形態１と同様であるため、共通する部分には同一の符号を付して図示し、それらの説明を省略する。
【００９８】
図１３に示すように、本形態の電気光学モジュール１０でも、実施の形態１と同様、第２透光板５７は第２基板５２よりサイズが大きく、第２基板５２からの張出面５７０に形成された遮光層５７９に対して、フレーム６０の壁部６１、６２、６３が接着剤Ｐを介して対向配置されている。
【００９９】
本形態では、電気光学パネル４０（第１基板５１および第２基板５２）からフレーム６０への放熱性を高めることを目的に、フレーム６０の内側には、電気光学パネル４０および第２透光板５７の周りに矩形枠状の放熱部材３０が配置されており、かかる放熱部材３０は、遮光板８０の電気光学パネル４０が位置する側の面に重なっている。本形態において、放熱部材３０は、アルミニウム、銅、鉄等の金属製部材であり、第１基板５１、第２基板５２、および第２透光板５７より熱伝導率が高い。
【０１００】
放熱部材３０は、電気光学パネル４０とフレーム６０の壁部６１との間に位置する壁部３１と、電気光学パネル４０とフレーム６０の壁部６２との間に位置する壁部３２と、電気光学パネル４０とフレーム６０の壁部６３との間に位置する壁部３３とを備えている。ここで、Ｙ軸方向の一方側Ｙ１では、フレーム６０の壁部６４が電気光学パネル４０にＹ軸方向の一方側で対向する構成になっておらず、電気光学パネル４０とフレーム６０の壁部６４との間には放熱部材３０が配置されていない。但し、放熱部材３０には、第１基板５１の張出部５１５にＺ軸方向の一方側Ｚ１で対向する壁部３４が形成されており、かかる壁部３４は、第２基板５２の側面５２４にＹ軸方向の一方側Ｙ１で対向している。従って、放熱部材３０は、第２基板５２の側面５２４に対向する壁部３４と、壁部３４の一方端側から第２基板５２の側面５２１とフレーム６０との間で延在する壁部３１と、壁部３４の一方端側から第２基板５２の側面５２２とフレーム６０との間で延在する壁部３２と、壁部３４と対向する位置で第２基板５２とフレーム６０との間で延在する壁部３３とを備えている。本形態では、放熱部材３０を平面視したとき、壁部３４の幅寸法は、壁部３１、３２、３３の幅寸法より大である。
【０１０１】
かかる放熱部材３０において、フレーム６０の壁部６１、６２、６３に対向する壁部３１、３２、３３の外側面はＺ軸方向に直線状に延在している。これに対して、壁部３１、３２、３３の内側面は、電気光学パネル４０および第２透光板５７の外形形状に沿って屈曲した多段形状になっている。このため、壁部３１、３２、３３の内側面は、第１基板５１の側面５１１、５１２、５１３、第１基板５１の第１面５１ａの第２基板５２からの張出面、第２基板５２の側面５２１、５２２、５２３、第２透光板５７の第２基板５２からの張出面５７０、および第２透光板５７の側面５７１、５７２、５７３に対向している。また、壁部３１、３２、３３のＺ軸方向の他方側Ｚ２の端部は第１透光板５６に対向し、壁部３１、３２、３３のＺ軸方向の一方側Ｚ１の端部は、第２基板５２とフレーム６０との間で、第２透光板５７の張出面５７０に形成された遮光層５７９に対向している。
【０１０２】
これに対して、壁部３４は、第２基板５２の側面５２４、および第２透光板５７の張出面５７０に形成された遮光層５７９に対向している。
【０１０３】
本形態では、遮光層５７９と放熱部材３０の壁部３１、３２、３３、３４との重なり幅は以下の関係
壁部３１＝壁部３２≒壁部３３＜壁部３４
にある。
【０１０４】
なお、本形態では、フレキシブル配線基板４０ｉと放熱部材３０の壁部３４とが対向し、張出部５１５においてフレキシブル配線基板４０ｉから張り出している部分と放熱部材３０の壁部３４とが対向している。このため、フレキシブル配線基板４０ｉを放熱部材３０と反対側に湾曲させた構成や、フレキシブル配線基板４０ｉと放熱部材３０の壁部３４との間にコーティング層等の絶縁材を配置して、フレキシブル配線基板４０ｉと放熱部材３０との短絡を防止することが好ましい。また、張出部５１５においてフレキシブル配線基板４０ｉから張り出している部分と放熱部材３０の壁部３４との間にコーティング層等の絶縁材を配置して、張出部５１５に形成されている配線等の導電層との短絡を防止することが好ましい。
【０１０５】
このように構成した電気光学モジュール１０において、第１透光板５６とフレーム６０との間、電気光学パネル４０と放熱部材３０との間、第２透光板５７と放熱部材３０との間、第２透光板５７とフレーム６０との間、および放熱部材３０とフレーム６０との間には接着剤Ｐが介在しており、空気層が介在していない。従って、壁部３１、３２、３３、３４と遮光層５７９との間には接着剤Ｐが介在しており、空気層が介在していない。但し、電気光学パネル４０の第１基板５１の張出部５１５と放熱部材３０との間や、フレキシブル配線基板４０ｉと放熱部材３０との間には接着剤Ｐが介在しておらず、空気層が介在している。その他の構成は、実施の形態１等と同様であるため、本形態は、実施の形態１と略同様な効果を奏する。
【０１０６】
このように本形態では、フレーム６０と電気光学パネル４０との間に放熱部材３０が配置されており、かかる放熱部材３０は、第１基板５１の張出部５１５の第２基板５２側の面、第２基板５２の側面５２４、および第２透光板５７の張出面５７０に形成された遮光層５７９に対向する壁部３４を有している。また、放熱部材３０は、壁部３４の両端側から第２基板５２の側面５２１、５２２とフレーム６０との間に向けて延在する壁部３１、３２を備えている。このため、第１基板５１の張出部５１５が位置する側の側面５１４や第２基板５２の側面５２４に対向する位置にはフレーム６０が存在しないが、張出部５１５が位置する側では、電気光学パネル４０で発生した熱を、放熱部材３０の壁部３４を介して壁部３１、３２に逃がした後、さらにフレーム６０に逃がすことができる。それ故、電気光学モジュール１０を大型化しなくても、電気光学パネル４０全体の温度ばらつきや温度上昇を低く抑えることができるので、電気光学パネル４０の温度上昇に起因する電気光学物質層４５０の劣化を抑制することができる。
【０１０７】
特に、フレーム６０として、樹脂製部材の表面に金属層を設けた成形品を用いた場合や、金属材料の種類によって、放熱部材３０がフレーム６０より熱伝導率が高い場合、電気光学パネル４０の熱を放熱部材３０に効率よく逃がすことができる。それ故、放熱部材３０を用いることによって、電気光学パネル４０全体の温度ばらつきや温度上昇を低く抑えることができる。また、フレーム６０として肉薄のものを用いた場合等、放熱部材３０がフレーム６０より熱容量が大きい場合や、フレーム６０に肉薄部分がある場合には、電気光学パネル４０の熱を放熱部材３０に効率よく逃がすことができるので、放熱部材３０を用いることによって、電気光学パネル４０全体の温度ばらつきや温度上昇を低く抑えることができる。
【０１０８】
また、放熱部材３０の壁部３１、３２、３３は各々、第１基板５１の側面５１１、５１２、５１３が位置する側の端部、第２基板５２の側面５２１、５２２、５２３が位置する側の端部、およびフレーム６０に対向している、このため、電気光学パネル４０の熱を、第１基板５１の側面５１１、５１２、５１３の側に位置する端部や、第２基板５２の側面５２１、５２２、５２３の側に位置する端部から放熱部材３０を介してフレーム６０に逃がすことができる。また、電気光学パネル４０と放熱部材３０との間、第２透光板５７と放熱部材３０との間、放熱部材３０とフレーム６０との間には接着剤Ｐが介在しており、空気層が介在していない。従って、電気光学パネル４０の熱を、放熱部材３０を介してフレーム６０に効率よく逃がすことができる。
【０１０９】
また、平面視において、壁部３４の幅寸法は、壁部３１、３２の幅寸法より大である。このため、電気光学パネル４０で発生した熱を、張出部５１５が位置する側から放熱部材３０に効率よく逃がすことができる。
【０１１０】
［実施の形態４の変形例］
上記の実施の形態３で説明した電気光学モジュール１０において、実施の形態１の変形例１、２、３で説明したように、遮光板８０や板状遮光部６７を用いない構成を採用してもよい。
【０１１１】
［実施の形態５］
図１４は、本発明の実施の形態５に係る電気光学モジュール１０の断面図であり、図１４（ａ）、（ｂ）は、電気光学モジュールのＹＺ断面図、およびＸＺ断面図である。なお、本形態の基本的な構成は、実施の形態１と同様であるため、共通する部分には同一の符号を付して図示し、それらの説明を省略する。
【０１１２】
図１４に示すように、本形態の電気光学モジュール１０でも、実施の形態１と同様、第２透光板５７は第２基板５２よりサイズが大きく、第２基板５２からの張出面５７０に形成された遮光層５７９に対して、フレーム６０の壁部６１、６２、６３が接着剤Ｐを介して対向配置されている。
【０１１３】
本形態において、第１透光板５６は、平面視で第１基板５１よりサイズが小さい四角形状であり、第１基板５１の第２面５１ｂには、第１透光板５６を全周で囲むように、第１透光板５６からの張出面５５が形成されている。かかる構成に対応して、フレーム６０の４つの壁部６１、６２、６３、６４の内側面には、第１基板５１の第１透光板５６からの張出面５５、および第１透光板５６の側面５６１、５６２、５６３、５６４に沿って屈曲する出隅状の角部６１０、６２０、６３０、６４０が形成されている。このため、フレーム６０は、角部６１０、６２０、６３０、６４０によって、第１基板５１の第１透光板５６からの張出面５５、および第１透光板５６の側面５６１、５６２、５６３、５６４に対向している。かかる構成の電気光学モジュール１０においても、フレーム６０のＺ軸方向の一方側Ｚ１から、第１透光板５６側を先行させるようにして電気光学パネル４０をフレーム６０の内側に設けることができる。その際、第１透光板５６は板状遮光部６７に当接し、第１基板５１の張出面５５は、フレーム６０の角部６１０、６２０、６３０、６４０に当接し、第１透光板５６および電気光学パネル４０のＺ軸方向の位置決めが行われる。また、第１透光板５６の側面５６１、５６２、５６３、５６４が角部６１０、６２０、６３０、６４０に当接し、第１透光板５６および電気光学パネル４０のＸ軸方向およびＹ軸方向の位置決めが行われる。
【０１１４】
ここで、張出面５５とフレーム６０の壁部６１、６２、６３、６４との重なり幅は、以下の関係
壁部６１＝壁部６２≒壁部６３＜壁部６４
になっている。すなわち、第１基板５１において、フレキシブル配線基板４０ｉが接続された張出部５１５が位置する側では、張出面５５とフレーム６０との重なり幅が大である。その他の構成は、実施の形態１等と同様であるため、本形態は、実施の形態１と同様な効果を奏する。
【０１１５】
このように本形態において、第１透光板５６は、第１基板５１の第２面５１ｂの一部が張り出すように設けられており、第１基板５１の第１透光板５６からの張出面５５、および第１透光板５６の側面５６１、５６２、５６３、５６４にはフレーム６０の角部６１０、６２０、６３０、６４０が対向している。また、第１基板５１の第１透光板５６からの張出面５５とフレーム６０の間、および第１基板５１の側面５１１、５１２、５１３とフレーム６０との間には接着剤Ｐが介在し、空気層が介在しない。それ故、電気光学パネル４０で発生した熱を、第１基板５１および第１透光板５６からフレーム６０に効率よく逃がすことができる。また、フレキシブル配線基板４０ｉが位置する側でのフレーム６０と張出面５５との重なり幅が広いので、フレキシブル配線基板４０ｉが位置する側（張出部５１５が位置する側）において、電気光学パネル４０で発生した熱を、第１基板５１からフレーム６０に効率よく逃がすことができる。
【０１１６】
［実施の形態５の変形例］
上記の実施の形態５で説明した電気光学モジュール１０において、実施の形態１の変形例１、２、３で説明したように、遮光板８０や板状遮光部６７を用いない構成を採用してもよい。また、実施の形態５では、電気光学パネル４０とフレーム６０との間に接着剤Ｐを介在させたが、実施の形態２、３のように、電気光学パネル４０とフレーム６０との間に通気路Ｓ１、Ｓ２を構成してもよい。また、実施の形態４のように、電気光学パネル４０とフレーム６０との間に放熱部材３０を介在させてもよい。
【０１１７】
［他の実施の形態］
上記実施の形態では、遮光層５７９とフレーム６０の壁部６１、６２、６３との重なり幅の大小関係は、以下の条件
壁部６１＝壁部６２≒壁部６３
であったが、以下の条件
壁部６１＝壁部６２＜壁部６３
とすることが好ましい。電気光学モジュール１０に冷却気体を供給する場合、張出部５１５が位置する側とは反対側（壁部６３が位置する側）が風上とされるので、かかる風上側での遮光層５７９とフレーム６０との重なり幅を大にすれば、放熱効率が高まる。従って、第２透光板５７やフレーム６０のＸ軸方向の寸法で過度に大きくしなくても、電気光学パネル４０全体からみれば十分な放熱性を確保することができる。
【０１１８】
また、上記の実施の形態において、フレーム６０の壁部６１、６２、６３、６４のＺ軸方向の他方側Ｚ２の面や一方側Ｚ１の面にＹ軸方向（冷却気体の流れる方向）に延在するリブを設けることにより、フレーム６０の表面積を拡張し、フレーム６０の放熱性を高めてもよい。
【０１１９】
上記実施の形態では、透過型の電気光学パネル４０を備えた電気光学モジュール１０を例示したが、反射型の電気光学パネル４０を備えた電気光学モジュール１０に本発明を適用してもよい。
【０１２０】
上記実施の形態では、投射型表示装置として投射像を観察する方向から投射を行う前面投射型表示装置を例示したが、投射像を観察する方向とは反対側から投射を行う背面投射型表示装置に用いる投射型表示装置に本発明を適用してもよい。
【０１２１】
上記実施の形態では、電気光学パネルとして液晶パネルを例に挙げて説明したが、本発明はこれに限定されず、有機エレクトロルミネッセンス表示用パネル、プラズマディスプレイパネル、ＦＥＤ（Field Emission Display）パネル、ＳＥＤ（Surface-Conduction Electron-Emitter Display）パネル、ＬＥＤ（発光ダイオード）表示パネル、電気泳動表示パネル等を用いた電気光学モジュールに本発明を適用してもよい。
【０１２２】
本発明を適用した電気光学モジュールについては、上記の電子機器（投射型表示装置）の他にも、ヘッドマウントディスプレイ、携帯電話機、情報携帯端末（ＰＤＡ：Personal Digital Assistants）、デジタルカメラ、液晶テレビ、カーナビゲーション装置、テレビ電話、ＰＯＳ端末、タッチパネルを備えた機器等の電子機器において直視型表示装置として用いてもよい。
【符号の説明】
【０１２３】
１・・投射型表示装置、１０・・電気光学モジュール、３０・・放熱部材、４０・・電気光学パネル（液晶パネル）、４０ａ・・画像表示領域、５１・・第１基板（素子基板）、５２・・第２基板（対向基板）、５２１〜５２４・・側面（第１側面）、５５・・第１基板の張出面、５６・・第１透光板（第１基板側透光板）、５７・・第２透光板（第２基板側透光板）、５７０・・第２透光板の張出面、５７９・・遮光層、６０・・フレーム、８０・・遮光板、４５０・・電気光学物質層（液晶層）、Ｐ・・接着剤、Ｓ１、Ｓ２・・通気路
【図１】
2015106010.tif 000003
【図２】
2015106010.tif 000004
【図３】
2015106010.tif 000005
【図４】
2015106010.tif 000006
【図５】
2015106010.tif 000007
【図６】
2015106010.tif 000008
【図１１】
2015106010.tif 000009
【図１２】
2015106010.tif 000010
【図１４】
2015106010.tif 000011
【図７】
2015106010.tif 000012
【図８】
2015106010.tif 000013
【図９】
2015106010.tif 000014
【図１０】
2015106010.tif 000015
【図１３】
2015106010.tif 000016